(57)【要約】　　　（修正有）【課題】太陽光で発電する太陽光モジュール、その発電を蓄電するニカド電池、直流電流を交流に変換するインバーター、等をコンパクトに収納、ビニールやプラスチックケースに入れ、ニカド電池の交換もでき、室内、室外で、手軽に太陽光発電が長期的に利用できる様にした携帯用太陽光発電装置の提供。【解決手段】太陽光モジュールをできる限り薄く、仕上げ、適宜のサイズに長方形に切断、これを長方形のプラスチックケースに入れるか又は、圧着して加工、長方形の間を折れ曲げがしやすい軟弱な作りで、巻いて収納しやすすく、携帯がしやすい構造とし、一部のプラスチックケースには、太陽光モジュールに発電した電流をニカド蓄池に蓄電し、これは直流電気であるから、これを交流電気に変換するインバーター、スイッチ等を組込み、電池の交換も可能で、コンパクトにデザインも工夫、いろ々と多用途とに利用できる機能とした。【選択図】図１
2004088043.tif 000002
【特許請求の範囲】
【請求項１】
太陽光モジュールをできるだけ薄く仕上げ、適宜のサイズに長方形に切断、これを長方形の箱型プラスチックケースか、モジュール上、下を軟弱で薄形のビニールシートで圧着した携帯用太陽光発電装置
【請求項２】
前記、箱型プラスチックケース等か、太陽光モジュールを上下から、軟弱シートで圧着した一部分に同一か、又は、別に、ニカド蓄電池等を併設し、更に直流、交流、変換インバータ等の器具を中に組み、これらの器具を交換できる構造とした、前記請求項１記載の携帯用太陽光発電装置。
【請求項３】
前記請求のプラスチックケース等や、圧着ビニールシート等は、自由に折り曲げができる様、一定間隔に適宜、凹に窪みを入れ、一定の幅の硬質のモジュールを折れ曲げる事なく、その窪みで折れる様にし、モジュールを巻き締めたり折れ曲げて、小さくし、携帯がしやすく收納可能とした前記請求項１〜２記載の携帯用太陽光発電装置。
【請求項４】
前記のプラスチックのケース等の一部に、締め付けのヒモを付け又、手で吊り上げやくす、携帯が、しやすい様な手スリ等を施した、前記請求項１〜３記載の携帯用太陽光発電装置。
【発明の詳細な説明】
【０００１】
〈発明の属する技術分野〉
本発明は、太陽光モジュールを適宜サイズに長方形に切断、このモジュールを、箱形のプラスチック容器に收納、又は、上下をビニールシートで圧着して、折れ曲げが、できる作りで、発電させ、この電気を同じプラスチックの容器に組込んだニカド電池に蓄電し、インバータで交流に変換し、電流を制御、室内、又は、室外でもこの装置自由に人の手で持ち運びができ、太陽光発電を利用できる様にした携帯用の太陽光発電装置に関するものである。
【０００２】
〈発明の背景〉
近時、原子力発電や石油、石炭、等の化石エネルギーの燃焼による発電は、地球温暖化や環境の破壊を引き起す要因となるばかりか、これらの施設費用や、維持費の増大は、電力利用者にとっては、電力使用料金の経済的負担が強いられるため、太陽光、風力、水力、同熱等の自然エネルギーの利用による発電に関する開発が急務となっている。
その中にあって、太陽光発電が、特に実用電源として、期待されているが、価格が高く、現在、建物の屋根と電気器具の一部、又照明用の一部に使われている程度で、普及いちじるしい状況ではない。
【０００３】
〈従来の技術〉
従来より、大型は建物用、最近では時計、電卓、庭園の照明用といろ々な応用品で太陽光発電が利用されている。
【０００４】
従来より、太陽モジュールは、一定の幅のモジュールを床板に置いて張りあわせ、平面、体で使用されており、モジュールを２重に置いたり、巻いて收納させたりする発想はなされていない。
【０００５】
従来技術としては、風力と、太陽光発電セット品や、照明器具とセットで街路灯としての利用が主で、使用目的が自由で、大容量で、しかも、携帯できる太陽光発電装置そのものはあまり見受けられない。
【０００６】
〈発明が解決しようとする課題〉
利用できる電力の容量により、サイズは異なるが、小型で、性能もよく、一部の部品、交換は、１〜２年で必要であるが、コンパクトで、利用と收納が簡単で、容量以内であれば、何の器具にも利用は自由で、１回に３〜５時間の太陽光の充電で、長時間の利用でき、安価で耐久性ある携帯用の太陽光発電が望まれる。
【０００７】
〈発明が解決する手段〉　請求１の発明は、
太陽光モジュールをできるだけ薄く仕上げ、適宜のサイズに長方形に切断、これを長方形の箱型プラスチックケースか、モジュール上、下を軟弱で薄形のビニールシートで圧着した携帯用太陽光発電装置を提供するものである。
【０００８】
この発明においては、従来から、太陽光モジュールは、５〜１０センチ幅の物を、平面の板の上に張って使用されており、モジュールを重ね合わせるとか、巻き合わせるとかの発想は、全くない。
しかし、請求の項１での発明は、モジュールを床板共に長方形にカットし、箱型のプラスチックケースに入れるか、軟弱なビニールで、モジュール板をラミネート（上下で圧着すること）する事で、モジュールに、汚染や、傷が付くことなく、折りタタミができ、又は、巻き込む事ができるようにした。
【０００９】請求の項２の発明においては、
前記、箱型プラスチックケースか、太陽光モジュールを上下から、軟弱シートで圧着した一部分に同一か、又は、別に、ニカド蓄電池等を併設し、更に直流、交流、変換インバーター等の器具を中に組み、これらの器具を交換できる構造とした、前記請求項１記載の携帯用太陽光発電装置を提供するものである。
【００１０】
この発明においては、前記、箱型のプラスチックケースの数個を、大きめにし、その一部に、たとえばニカド蓄電池を併設し、更に、直流を交換に変換できるインバーター等を器具に組み込まれており、モジュールで発電した発気を充電させ、必要な時に交流電源として、差し込みソケットを通じ、使用できる。
【００１１】請求の項３の発明においては、
前記請求のプラスチックケースや、圧着ビニールシートは、自由に折り曲げができる一定間隔が適宜、凹に窪みを入れ、一定の幅の硬質のモジュールを折れ曲げる事なく、その窪みで折れる様にし、モジュールを巻き占めたり、折れ曲げて、小さくし、携帯がしやすく收納可能とした前記請求項１〜２記載の携帯用太陽光発電装置を提供するものである。
【００１２】
この発明においては、長方形のモジュールを入れたプラスチックケースや又は、モジュールを入れたラミネート（ビニール上下で圧着する方法）仕上げの間に凹を入れ、この溝をやわらかい、耐久性ある、ビニールで加工する事により、この溝から折れ曲がり、自由に巻いて締めたり、折って重ねたり、する事ができ、携帯の為の收納ができる。
【００１３】請求の項４の発明においては、
前記のプラスチックのケース等の一部に手や吊り金具で、吊り上げられる様にし、取付や、携帯が、しやすい様な手スリを施した、前記請求項１〜３記載の携帯用太陽光発電装置を提供するものである。
【００１４】
この発明においては、前記、請求の項３の、モジュールをプラスチックケースにれるか、又は、ラミネートの圧着等に、凹溝を加工する事で自由に、重ね折りや、巻き締め收納を行った後、更にヒモで締め、又、手スリ等を取けた構造としており携帯がしやすい。
【００１５】
〈実施例〉　本発明の一実施例を図面に基ずき説明する。
図１は今回発明した携帯用太陽発電装置の斜視図で、太陽光モジュール、ニカド電池、インバーター等を外側のプラスチック箱（又はビニール袋製）に收納したものである。
図１の１は、プラスチックケースの中に太陽モジュール、ニカド電池、インバーターを内蔵、２はプラスチックケースの中に太陽光モジュールとそれを支えるベース板を内蔵、７、６、はそれぞれの收納後のフタで、３は、ＯＮ又はＯＦＦで、４は、交流電源の差し込みソケットで、５は、全体をつり吊げられる、握り、テスリで、８は、全体を巻いて縛るヒモである
【００１６】
この構造により、１と２の間は少し、凹みがつけられ、この窪みは軟弱性のもので作られており、收納がしやすい。１のところは２のところより少し、太めに出来ており、ここに太陽光モジュールとニカド電池、直流電気を交流に変換するものや、電流の量を自動調整するインバーターを組み込ませ、２の方には、いく分厚め目の太陽光シリコンモジュールでも出し入れ可能とした。２の数は特に限定せず、使いやすさと、デザイン的にも自由に変更できる。
【００１７】
図２は、図１と大差ない様に見えるが、図２の１は、図１の１と同じ作りであるが、図２の２は、中の太陽光モジュールをかなり薄くする事で、２と２との間に９の凹の溝を入れ、この部は耐久性ある軟弱なビニールやシートとの作りで、２の全体が薄目にできており、上下よりシートでラミネート（圧着仕上）加工を行ない、全体をソフトな仕上がりとした。又、扱いやすくデザイン的にもいろ々と加工がしやすい。
【００１８】
図３は、１のモジュールを中心に２で巻き締め８のヒモでしばり、更に１０の布バック等に入れ携帯をよりしやすくした。
【００１９】
図４は、１のモジュールを上にして２の４枚のモジュールを重ね折りしたもので、それを８のヒモで締め、コンパクトで携帯が、図３よりしやすい構造である。
【００２０】
図５は、正面図を表わす。モジュール２と２の間や１、と２との間も凹の作りで折り曲げやすい作りである。
【００２１】
図６は、左面、図７は背面を表示している。
【００２２】
図８は平面図９は底面を表示、図１０は、右面からの図である。
【００２３】
図１１は、プラスチックケースを示し、１は少し大きめで、２の４ケはそれぞれ、１より小さくできており、モジュールを入れるのみの作りで、６と７のフタは、ニカド電池
交換時に１年〜１、５年に１回の開閉が必要で、９は凹型の溝を入れ折れ曲がしやすい作となっており、１１は、図１２に示す通りホック型の押し止めの方法等で閉まるようにした。
【００２４】
図１３は、太陽光モジュールで、１２はモジュールを、１３の床板に張った状態で、１４はニカド等の電池で、１５はインバーターで１６は、各モジュールとニカド電池との配線である。
【００２５】
図１４は、１、と２のプラスチック、ケース等の全体図１１の中に図１３のモジュール１２や、１４のニカド電池等を收納した状態を表示した図で、全体がコンパクトに收納されている。
【００２６】
図１５は、電流の配線、系統図を示すもので、１２の太陽光の電流が１４のニカド電池に蓄電され、１５の直流を交流にインバーターで変換され、３の入、切りで、ソケット４で電気が使用できるシステムとなっている。
【００２７】
〈発明の効果〉
携帯用太陽光発電装置の開発、効果については、人の手により手軽に携帯できるものから、多数の人手で利用できるもの、更には、小型の簡易、トラックレーンを使い、重量が、１セット５００ｋｇ以上の機種まで多種、多様に製作できる。
その為、▲１▼個人で使用できる、ラジオ、テレビ、コンピューター、照明用等幅広い、利用が可能で、家庭内や、アウトドアー用に便利でかなりの普及が期待される。
▲２▼発電量も小型で１０ワット以上からトラッククレーンを利用する
１ｋから２ｋワット以上も製作が可能で、更に１セット、２セットと並行利用すれば２ｋ〜３ｋワットとかなりの発電量が得られる。
従って、地震発生地、水害発生地、紛争発生地、テロ発生、等の救災の電源用、手術用、通信用、照明用と低開発国（ＯＤＡ）への支援の他、海、山と幅広い利用ができる。
▲３▼更に、新型の電池が開発され、大容量になれば、携帯用太陽光発電の利用も更に応用ができ、新しい、工夫と新機能の製品開発も可能である。
▲４▼現在ある太陽光モジュールの利用とニカド電池等の利用で当面の必要な、携帯用が出来る為、一般の大半の人が、手軽に安価で、太陽発電の利用が可能であり、地球温暖化防止の為、自然エネルギー利用への、感心が高まる効果も期待でき、家庭内でも徐々に利用がなされれば、ＣＯ２の排出削減効果にも、かなりの利点が得られる。
以上の様に画期的なアイデアであり、効果は期待できる。
【図面の簡単な説明】
【図１】本発明の一実施例を示す携帯用太陽光発電装置の全体斜視図
【図２】太陽光モジュールをラミネート（シートによる圧着）で仕上げたコンパクトサイズの全体斜視図
【図３】携帯用太陽光発電装置を巻きあげ、袋詰した図
【図４】図２の発電装置を重ねて折りタタミをした図
【図５】正面図
【図６】左側面図
【図７】背面図
【図８】平面図
【図９】底面図
【図１０】右側面図
【図１１】プラスチックケース図
【図１２】図１１のケースのフタの止め金図（ホック止め）
【図１３】太陽光モジュールとニカド電池、インバーター収納図
【図１４】図１１に、図１３を収納した図（モジュールをケースに収納した図）
【図１５】モジュールとニカド電池、インバーターを配線した系統図、
【符号の説明】
１．プラスチックケースの大の方
２　プラスチックケースの小の方
３　スイッチ、（入、切）
４　コンセント
５　手スリ（握り金具）
６　フタ（小）
７　フタ（大）
８　ヒモ（ロープ等）
９　凹（溝）
１０　布（ビニール）袋、
１１　止め金（ホック）
１２　太陽光モジュール
１３　床板（モジュール用）
１４　ニカド電池
１５　インバーター
１６　配線（銅線）
【図１】
2004088043.tif 000003
【図２】
2004088043.tif 000004
【図３】
2004088043.tif 000005
【図４】
2004088043.tif 000006
【図５】
2004088043.tif 000007
【図６】
2004088043.tif 000008
【図７】
2004088043.tif 000009
【図８】
2004088043.tif 000010
【図９】
2004088043.tif 000011
【図１０】
2004088043.tif 000012
【図１１】
2004088043.tif 000013
【図１２】
2004088043.tif 000014
【図１３】
2004088043.tif 000015
【図１４】
2004088043.tif 000016
【図１５】
2004088043.tif 000017
【手続補正書】
【提出日】平成15年3月27日(2003.3.27)
【手続補正１】
【補正対象書類名】明細書
【補正対象項目名】全文
【補正方法】変更
【補正の内容】
【発明の詳細な説明】
【特許請求の範囲】
【請求項１】
長方形に切断された太陽光モジュールと、
この太陽光モジュールが、長方形の箱型プラスチックケースに、
収納されたことを特徴とする携帯用太陽光発電装置。
【請求項２】
薄く形成された太陽光モジュールが、
軟弱で薄型のビニールシートで圧着されたことを特徴とする、
携帯用太陽光発電装置。
【請求項３】
請求項１又は２に記載の携帯用太陽光発電装置において、前記太陽光モジュールと、ニカド電池と、直流・交流変換インバーターを有し、前記太陽光モジュールが前記、ニカド電池が交換可能に組込まれている事を特徴とする携帯用太陽光発電装置。
【発明の詳細な説明】
【０００１】
【発明の属する技術分野】
本発明は、太陽光モジュールを適宜サイズに長方形に切断、このモジュールを圧着した箱形のプラスチック容器に収納する方法と、薄型のビニールシートで圧着する方法のどちらかで、折り曲げができる作りで、発電させ、この電気を同じプラスチックの容器に組込んだニカド電池に蓄電しインバーターで交流に変換し、電流を制御、室内・及び室外でもこの装置は、自由に人の手で持ち運びができ、太陽光発電を利用できる様にした携帯用の太陽光発電装置に関するものである。
【０００２】
【従来の技術】
近時、原子力発電や石油・石炭等の化石エネルギーの燃焼による発電は、地球温暖化や環境の破壊を引き起こす要因となるばかりか、これらの施設費用や維持費の増大は電力利用者にとっては、電力使用料金の経済的負担が強いられる為、太陽光・風力・水力、同熱等の自然エネルギーの利用による発電に関する開発が急務となっている。
その中にあって、太陽光発電が特に実用電源として期待されているが、価格が高く、現在建物の屋根と電気器具の一部、又照明用の一部に使われている程
度で、普及著しい状況ではない。
そして、従来より大型は建物用、最近では時計・電卓・庭園の照明用といろいろな応用品で太陽光発電が利用されている。
携帯用の技術としては、従来よりいくつか提案されている。太陽光発電は直流であり、交流への変換装置を併設したものは少ない。
【０００３】
【発明が解決しようとする課題】
利用できる電力の容量により、サイズは異なるが小型で性能もよく、一部の部品交換は１〜２年で必要であるが、コンパクトで利用と収納が簡単で、容量以内であればいろいろな電気器具にも利用は自由で１回に３〜５時間の太陽光の充電で、直流を交流に変換されるインバーターとバッテリーの装着がなされ、長時間利用でき、安価で耐久性ある携帯用の太陽光発電が望まれる。
【０００４】
【発明が解決する手段】
請求１の発明は、長方形に切断された太陽光モジュールと、この太陽光モジュールが長方形の箱型プラスチックケースに、収納されたことを特徴とする携帯用太陽光発電装置である。
【０００５】
上記請求の項１、又は２の発明はモジュール床板共に、長方形にカットし、箱型のプラスチックケースに入れる方法と、軟弱なビニールでモジュール板をラミネート（上下で圧着すること）する事で、モジュールに汚染や傷が付く事無く折りたたみができ、更に巻き込む事ができる。
【０００６】
請求の項３の発明においては、請求項１又は２に記載の携帯用太陽光発電装置において、前記太陽光モジュールとニカド電池と、直流・交流変換インバーターを有し、前記太陽光モジュールが前記ニカド電池と、前記直流・交流変換インバーターに配線され、かつ前記に角電池が交換可能に組み込まれていることを特徴とする、携帯用太陽光発電装置である。
【０００７】
この発明においては、前記箱型のプラスチックケースの数個を大きめにし、その一部にたとえばニカド蓄電池を併設し、更に直流を交流に変換できるインバーター等を器具に組込まれており、モジュールで発電した電気を充電させ、必要なときに交流電源として差し込みソケットを通じ使用できる。
【０００８】
【実施例】
本発明の一実施例を図面に基づき説明する。
図１は、今回発明した請求項３に係る携帯用太陽光発電装置の斜視図で、太陽光モジュール・ニカド電池・インバーターを内蔵したプラスチックケース１と太陽光モジュールを収納したプラスチックケース２で、７、６はそれぞれの収納部のフタで３はＯＮ又はＯＦＦ用のスイッチで、４は交流電源の差し込みソケットで５は全体を吊り上げられる握り・手すりで、８は全体を巻いて縛るヒモである。
【０００９】
この構造により、プラスチックケース１と２の間は少し凹がつけられ、この窪みは軟弱性のもので作られており収納がしやすい。プラスチックケース１のところはプラスチックケース２のところより少し太めに出来ておりここに太陽光モジュールとニカド電池・直流電気を交流に変換するものや、電流の量を自動調整するインバーターを組込ませ配線する。プラスチック２の方には幾分厚めの太陽光シリコンモジュールでも出し入れ可能とした。プラスチックケース２の数は特に限定せず、使いやすさとデザイン的にも自由に変更できる。
【００１０】
図２は、請求項１に係る携帯用太陽光発電装置の例を示し、図２のプラスチックケース１は図１のプラスチックケース１と同じ作りであるが、図２のプラスチックケース２は、中の太陽光モジュールをかなり薄くする事で、プラスチックケース２との間に凹の溝９を入れ、この部は耐久性ある軟弱なビニールシートとの作りで、プラスチック２の全体が薄目にできており、上下よりシートでラミネート（圧着仕上）加工を行い、全体をソフトな仕上がりとした。又、使いやすくデザイン的にもいろいろと加工がしやすい。
【００１１】
図３はプラスチック１のモジュールを中心にプラスチック２で巻き締めヒモ８でしばり、更に布バック１０等に入れ携帯をよりしやすくした例である。
【００１２】
図４はプラスチック１のモジュールを上にして４枚のモジュールを重ね折りしたもので、コンパクトで携帯が図３に示した、例の携帯用太陽光発電装置よりしやすい構造である。
【００１３】
図５は請求項１に係る装置の正面図を表す。プラスチックケース２との間やプラスチックケース１と２との間も凹の作りで、折り曲げやすい作りとしている。
【００１４】
図６は請求項１に係る装置の左面、図７は左側面図を表している。図中の５は手すり（握り金具）で７はフタである。
【００１５】
図７は請求項１に係る装置の背面図を表している。図中２はプラスチックケースである。
【００１６】
図８は請求項２に係る携帯用発電装置の例を示す平面図、図９は底面を表示、図１０は右面からの図である。
【００１７】
図１１は本発明の実施例に用いるプラスチックケースを示し、プラスチックケース１は少し大きめで、プラスチックケース２の４ヶはそれぞれプラスチックケース１より小さくできており、モジュールを入れるのみの作りで、フタ６と７はニカド電池交換時に１年〜１．５年に１回の開閉が必要で、凹型９の溝を入れ、折れ曲げがしやすい作りとなっており、１１は図１２に示す通りホック型の止め金りで閉まるようにした。
【００１８】
図１３は太陽光モジュールで、モジュール１２を床板１３に張った状態で、ニカド電池１４でインバーターを示している。各モジュール１２インバーター１５は配線１６されている。
【００１９】
図１４はプラスチックケース１・２の中に図１３のモジュール１２やニカド電池１４を収納した状態を表示した図で、全体がコンパクトに収納されている。
【００２０】
図１５は本発明の配線系統図を示すもので、太陽光のモジュール１２で発生した電流が、ニカド電池１４に蓄電され、インバーター１５で直流が交流に変換され、入・切りスイッチ３を操作することで、スケット４で電気が使用できるシステムとなっている。
【００２１】
【発明の効果】
携帯用太陽光発電装置の開発・効果については、人の手により手軽に携帯で
きるものから、多数の人手で利用できるもの、更には小型の簡易トラッククレーンを使い重量が１セット５００ｋｇ以上の機種まで多種多様に製作できる。
その為、▲１▼個人で使用できるラジオ・テレビ・コンピューター・照明用等、幅広い利用が可能で、家庭内やアウトドア−用に便利でかなりの普及が期待される。
▲２▼発電量も小型で１０ワット以上からトラッククレーンを利用する１Ｋから
２Ｋワット以上も製作が可能で、更に１セット・２セットと並行利用すれば２Ｋ〜３Ｋワットとかなりの発電量が得られる。従って、地震発生地・水害発生地・紛争発生地・テロ発生等の救済の電源用・手術用・通信用・照明用と低開発国（ＯＤＡ）への支援の他、海・山と幅広い利用ができる。
▲３▼更に新型の電池が開発され、大容量になれば携帯用太陽光発電の利用も更に応用ができ、新しい工夫と新機能の製品開発も可能である。
▲４▼現在ある太陽光モジュールの利用とニカド電池等の利用で、当面の必要な携帯用が出来る為、一般の大半の人が手軽に安価で太陽発電の利用が可能であり、地球温暖化防止の為、自然エネルギー利用への関心が高まる効果も期待でき、家庭内でも徐々に利用がなされればＣｏ２の排出削減効果にもかなりの利点が得られる。
【００２２】
【図面の簡単な説明】
【図１】本発明の一実施例を示す携帯用太陽光発電装置の全体斜視図
【図２】太陽光モジュールをラミネート（シートによる圧着）で仕上げたコンパクトサイズの全体斜視図
【図３】携帯用太陽光発電装置を巻き上げ、袋詰めした図
【図４】図２の発電装置を重ねて折りタタミをした図
【図５】図１に示す装置の正面図
【図６】図１に示す装置の左側面図
【図７】図１に示す装置の背面図
【図８】図２に示す装置の平面図
【図９】図２に示す装置の底面図
【図１０】図２に示す装置の右側面図
【図１１】図１の実施例に用いるプラスチックケース図
【図１２】図１１のケースのフタの止め金図（ホック止め）
【図１３】太陽光モジュールとニカド電池、インバーターを示す斜視図
【図１４】図１１に図１３を収納した図（太陽光モジュールをケースに収納した図）
【図１５】本発明の実施例となるモジュールとニカド電池、インバーターを配線した系統図
【符号の説明】
１．プラスチックケース　　　　　　　　　２．プラスチックケース
３．スイッチ（入・切）　　　　　　　　　４．コンセント
５．手スリ（握り金具）　　　　　　　　　６．フタ（小）
７．フタ（大）　　　　　　　　　　　　　８．ヒモ
９．凹（溝）　　　　　　　　　　　　　　１０．袋
１１．止め金（ホック）　　　　　　　　　　１２．太陽光モジュール
１３．床板　　　　　　　　　　　　　　　　１４．ニカド電池
１５．直流・交流変換インバーター　　　　　１６．配線
【手続補正書】
【提出日】平成15年7月15日(2003.7.15)
【手続補正１】
【補正対象書類名】明細書
【補正対象項目名】全文
【補正方法】変更
【補正の内容】
【発明の詳細な説明】
【特許請求の範囲】
【請求項１】
太陽電池モジュールとニカド電池とインバーターが内蔵された第１のプラスチックケース（１）と、太陽電池モジュールが内蔵された第２のプラスチックケース（２）とが、折り曲げ可能に一体に構成された携帯用太陽光発電装置。
【発明の詳細な説明】
【０００１】
【発明の属する技術分野】
本発明は、太陽光モジュールを適宜サイズに長方形に切断、この太陽電池モジュールとニカド電池とインバーターが内蔵された第１のプラスチックケース（１）と、太陽電池モジュールが内蔵された第２のプラスチックケース（２）とが、折り曲げ可能に一体に構成された携帯用太陽光発電装置に関するものである。
【０００２】
【従来の技術】
近時、原子力発電や石油・石炭等の化石エネルギーの燃焼による発電は、地球温暖化や環境の破壊を引き起こす要因となるばかりか、これらの施設費用や維持費の増大は電力利用者にとっては、電力使用料金の経済的負担が強いられ
る為、太陽光・風力・水力、同熱等の自然エネルギーの利用による発電に関する開発が急務となっている。
その中にあって、太陽光発電が特に実用電源として期待されているが、価格が高く、現在建物の屋根と電気器具の一部、又照明用の一部に使われている程
度で、普及著しい状況ではない。
そして、従来より大型は建物用、最近では時計・電卓・庭園の照明用といろいろな応用品で太陽光発電が利用されている。
携帯用の技術としては、従来よりいくつか提案されている。太陽光発電は直流であり、交流への変換装置を併設したものは少ない。
【０００３】
【発明が解決しようとする課題】
利用できる電力の容量により、サイズは異なるが小型で性能もよく、一部の部品交換は１〜２年で必要であるが、コンパクトで利用と収納が簡単で、容量以内であればいろいろな電気器具にも利用は自由で１回に３〜５時間の太陽光の充電で、直流を交流に変換されるインバーターとバッテリーの装着がなされ、長時間利用でき、安価で耐久性ある携帯用の太陽光発電が望まれる。
【０００４】
【発明が解決する手段】
上記請求の項１の発明は、太陽電池モジュールとニカド電池とインバーターが内蔵された第１のプラスチックケース（１）と、太陽電池モジュールが内蔵された第２のプラスチックケース（２）とが、折り曲げ可能に一体に構成されたことを特徴とする携帯用太陽光発電装置である。
【０００５】
【実施例】
本発明の一実施例を図面に基づき説明する。
図１は、今回発明した請求項１に係る携帯用太陽光発電装置の斜視図で、太陽光モジュール・ニカド電池・インバーターを内蔵したプラスチックケース１と太陽光モジュールを収納したプラスチックケース２で、７、６はそれぞれの収納部のフタで３はＯＮ又はＯＦＦ用のスイッチで、４は交流電源の差し込みソケットで５は全体を吊り上げられる握り・手すりで、８は全体を巻いて縛るヒ
モである。
【０００６】
この構造により、プラスチックケース１と２の間は少し凹がつけられ、この窪みは軟弱性のもので作られており収納がしやすい。プラスチックケース１のところはプラスチックケース２のところより少し太めに出来ておりここに太陽光モジュールとニカド電池・直流電気を交流に変換するものや、電流の量を自動調整するインバーターを組込ませ配線する。プラスチック２の方には幾分厚めの太陽光シリコンモジュールでも出し入れ可能とした。プラスチックケース２の数は特に限定せず、使いやすさとデザイン的にも自由に変更できる。
【０００７】
図２は、請求項１に係る携帯用太陽光発電装置の例を示し、図２のプラスチックケース１は図１のプラスチックケース１と同じ作りであるが、図２のプラスチックケース２は、中の太陽光モジュールをかなり薄くする事で、プラスチックケース２との間に凹の溝９を入れ、この部は耐久性ある軟弱なビニールシートとの作りで、プラスチック２の全体が薄目にできており、上下よりシートでラミネート（圧着仕上）加工を行い、全体をソフトな仕上がりとした。又、使いやすくデザイン的にもいろいろと加工がしやすい。
【０００８】
図３はプラスチック１のモジュールを中心にプラスチック２で巻き締めヒモ８でしばり、更に布バック１０等に入れ携帯をよりしやすくした例である。
【０００９】
図４はプラスチック１のモジュールを上にして４枚のモジュールを重ね折りしたもので、コンパクトで携帯が図３に示した、例の携帯用太陽光発電装置よ
りしやすい構造である。
【００１０】
図５は請求項１に係る装置の正面図を表す。プラスチックケース２との間やプラスチックケース１と２との間も凹の作りで、折り曲げやすい作りとしている。
【００１１】
図６は請求項１に係る装置の左面、図７は左側面図を表している。図中の５は手すり（握り金具）で７はフタである。
【００１２】
図７は請求項１に係る装置の背面図を表している。図中２はプラスチックケースである。
【００１３】
図８は他の実施例に係る携帯用発電装置の例を示す平面図、図９は底面を表示、図１０は右面からの図である。
【００１４】
図１１は本発明の実施例に用いるプラスチックケースを示し、プラスチックケース１は少し大きめで、プラスチックケース２の４ヶはそれぞれプラスチックケース１より小さくできており、モジュールを入れるのみの作りで、フタ６と７はニカド電池交換時に１年〜１．５年に１回の開閉が必要で、凹型９の溝を入れ、折れ曲げがしやすい作りとなっており、１１は図１２に示す通りホック型の止め金で閉まるようにした。
【００１５】
図１３は太陽光モジュールで、モジュール１２を床板１３に張った状態で、ニカド電池１４でインバーターを示している。各モジュール１２インバーター１５は配線１６されている。
【００１６】
図１４はプラスチックケース１・２の中に図１３のモジュール１２やニカド電池１４を収納した状態を表示した図で、全体がコンパクトに収納されている。
【００１７】
図１５は本発明の配線系統図を示すもので、太陽光のモジュール１２で発生した電流が、ニカド電池１４に蓄電され、インバーター１５で直流が交流に変換され、入・切りスイッチ３を操作することで、スケット４で電気が使用できるシステムとなっている。
【００１８】
【発明の効果】
携帯用太陽光発電装置の開発・効果については、人の手により手軽に携帯で
きるものから、多数の人手で利用できるもの、更には小型の簡易トラッククレーンを使い重量が１セット５００ｋｇ以上の機種まで多種多様に製作できる。
その為、▲１▼個人で使用できるラジオ・テレビ・コンピューター・照明用等、幅広い利用が可能で、家庭内やアウトドア−用に便利でかなりの普及が期待される。
▲２▼発電量も小型で１０ワット以上からトラッククレーンを利用する１Ｋから２Ｋワット以上も製作が可能で、更に１セット・２セットと並行利用すれば２Ｋ〜３Ｋワットとかなりの発電量が得られる。従って、地震発生地・水害発生地・紛争発生地・テロ発生等の救済の電源用・手術用・通信用・照明用と低開発国（ＯＤＡ）への支援の他、海・山と幅広い利用ができる。
▲３▼更に新型の電池が開発され、大容量になれば携帯用太陽光発電の利用も更に応用ができ、新しい工夫と新機能の製品開発も可能である。
▲４▼現在ある太陽光モジュールの利用とニカド電池等の利用で、当面の必要な携帯用が出来る為、一般の大半の人が手軽に安価で太陽発電の利用が可能であり、地球温暖化防止の為、自然エネルギー利用への関心が高まる効果も期待でき、家庭内でも徐々に利用がなされればＣｏ２の排出削減効果にもかなりの利点が得られる。
【００１９】
【図面の簡単な説明】
【図１】本発明の一実施例を示す携帯用太陽光発電装置の全体斜視図
【図２】太陽光モジュールをラミネート（シートによる圧着）で仕上げたコンパクトサイズの全体斜視図
【図３】携帯用太陽光発電装置を巻き上げ、袋詰めした図
【図４】図２の発電装置を重ねて折りタタミをした図
【図５】図１に示す装置の正面図
【図６】図１に示す装置の左側面図
【図７】図１に示す装置の背面図
【図８】図２に示す装置の平面図
【図９】図２に示す装置の底面図
【図１０】図２に示す装置の右側面図
【図１１】図１の実施例に用いるプラスチックケース図
【図１２】図１１のケースのフタの止め金図（ホック止め）
【図１３】太陽光モジュールとニカド電池、インバーターを示す斜視図
【図１４】図１１に図１３を収納した図（太陽光モジュールをケースに収納した図）
【図１５】本発明の実施例となるモジュールとニカド電池、インバーターを配線した系統図
【符号の説明】
１．プラスチックケース　　　　　　　　　２．プラスチックケース
３．スイッチ（入・切）　　　　　　　　　４．コンセント
５．手スリ（握り金具）　　　　　　　　　６．フタ（小）
７．フタ（大）　　　　　　　　　　　　　８．ヒモ
９．凹（溝）　　　　　　　　　　　　　　１０．袋
１１．止め金（ホック）　　　　　　　　　　１２．太陽光モジュール
１３．床板　　　　　　　　　　　　　　　　１４．ニカド電池
１５．直流・交流変換インバーター　　　　　１６．配線